(57)【要約】  タグの所持者に当該タグに割り付けられたアンテナの情報を報知することができる動態管理システムを提供する。動態管理システムは、入力部を備え、ＩＤ情報と前記入力部における操作に対応した指令の情報とを含む電波を送信するタグと、前記タグが送信した電波を受信する複数のアンテナと、予め設定された方法で情報を報知する報知装置と、タグに割り付けられたアンテナの情報を記憶し、アンテナがタグからＩＤ情報と指令の情報とを受信した際に当該タグに割り付けられたアンテナの情報を前記報知装置に報知させる制御装置と、を備えた。
2017158825.tif 000002
【特許請求の範囲】
【請求項１】
入力部を備え、ＩＤ情報と前記入力部における操作に対応した指令の情報とを含む電波を送信するタグと、
前記タグが送信した電波を受信する複数のアンテナと、
予め設定された方法で情報を報知する報知装置と、
タグに割り付けられたアンテナの情報を記憶し、アンテナがタグからＩＤ情報と指令の情報とを受信した際に当該タグに割り付けられたアンテナの情報を前記報知装置に報知させる制御装置と、
を備えた動態管理システム。
【請求項２】
前記報知装置は、複数のアンテナに対応した複数の表示装置であり、
前記制御装置は、アンテナがタグからＩＤ情報と指令の情報とを受信した際に当該タグに割り付けられたアンテナのアンテナ番号と当該タグに割り付けられていないアンテナのアンテナ番号とを異なる方法で当該アンテナに対応した表示装置に表示させる請求項１に記載の動態管理システム。
【請求項３】
前記報知装置は、複数のアンテナに対応した複数の表示装置であり、
前記制御装置は、アンテナがタグからＩＤ情報と指令の情報とを受信した際に当該タグに割り付けられたアンテナと当該タグに割り付けられていないアンテナとの相対位置を当該アンテナに対応した表示装置に表示させる請求項１に記載の動態管理システム。
【請求項４】
前記報知装置は、複数のアンテナに対応した複数の表示装置であり、
前記制御装置は、アンテナがタグからＩＤ情報と指令の情報とを受信した際に当該タグに割り付けられたアンテナと当該タグに割り付けられていないアンテナとの絶対位置を前記複数の表示装置に表示させる請求項１に記載の動態管理システム。
【請求項５】
前記報知装置は、複数のアンテナに対応した複数の設備であり、
前記制御装置は、アンテナがタグからＩＤ情報と指令の情報とを受信した際に当該タグに割り付けられたアンテナに対応した設備を制御する請求項１に記載の動態管理システム。
【請求項６】
前記報知装置は、複数のアンテナに対応した複数のスピーカーであり、
前記制御装置は、アンテナがタグからＩＤ情報と指令の情報とを受信した際に当該タグに割り付けられたアンテナに対応したスピーカーに当該タグに割り付けられたアンテナの情報を音声で報知させる請求項１に記載の動態管理システム。
【請求項７】
操作を受け付ける入力装置と、
情報を表示するディスプレイと、
を備え、
前記制御装置は、前記入力装置の操作に応じてタグとアンテナとの割り付けの検索と追加と削除とを実行する請求項１から請求項６のいずれか１項に記載の動態管理システム。
【請求項８】
前記制御装置は、タグの入力部における操作に応じて当該タグとアンテナの割り付けの検索と追加と削除とを実行する請求項１から請求項７のいずれか１項に記載の動態管理システム。
【発明の詳細な説明】
【技術分野】
【０００１】
この発明は、動態管理システムに関する。
【背景技術】
【０００２】
特許文献１は、動態管理システムを開示する。当該動態管理システムによれば、タグがアンテナの電波範囲に侵入することでタグとアンテナの割付制御を行うことができる。
【先行技術文献】
【特許文献】
【０００３】
【特許文献１】日本特開２０１５−８８３４５号公報
【発明の概要】
【発明が解決しようとする課題】
【０００４】
しかしながら、特許文献１に記載のものにおいては、タグの所持者は、タグに割り付けられたアンテナの情報を見ることができない。このため、タグの所持者は、タグとアンテナの割付制御を効率的に行うことができない。【０００５】
この発明は、上述の課題を解決するためになされた。この発明の目的は、タグの所持者に当該タグに割り付けられたアンテナの情報を報知することができる動態管理システムを提供することである。
【課題を解決するための手段】
【０００６】
この発明に係る動態管理システムは、入力部を備え、ＩＤ情報と前記入力部における操作に対応した指令の情報とを含む電波を送信するタグと、前記タグが送信した電波を受信する複数のアンテナと、予め設定された方法で情報を報知する報知装置と、タグに割り付けられたアンテナの情報を記憶し、アンテナがタグからＩＤ情報と指令の情報とを受信した際に当該タグに割り付けられたアンテナの情報を前記報知装置に報知させる制御装置と、を備えた。
【発明の効果】
【０００７】
この発明によれば、報知装置は、タグの入力部における操作に対応した指令の情報に応じて当該タグに割り付けられたアンテナの情報を報知する。このため、タグの所持者に当該タグに割り付けられたアンテナの情報を報知することができる。
【図面の簡単な説明】
【０００８】
【図１】この発明の実態の形態１における動態管理システムの構成図である。
【図２】この発明の実態の形態１における動態管理システムのアンテナの配置を示す平面図である。
【図３】この発明の実態の形態１における動態管理システムの表示装置の表示例である。
【図４】この発明の実態の形態１における動態管理システムの動作を説明するためのフローチャートである。
【図５】この発明の実態の形態１における動態管理システムの動作を説明するためのフローチャートである。
【図６】この発明の実施の形態１における動態管理システムの制御装置のハードウェア構成図である。
【図７】この発明の実態の形態２における動態管理システムの構成図である。
【図８】この発明の実態の形態２における動態管理システムのアンテナの配置を示す平面図である。
【図９】この発明の実態の形態２における動態管理システムの表示装置の表示例である。
【図１０】この発明の実態の形態２における動態管理システムの動作を説明するためのフローチャートである。
【図１１】この発明の実態の形態２における動態管理システムの動作を説明するためのフローチャートである。
【図１２】この発明の実態の形態３における動態管理システムのアンテナの配置を示す平面図である。
【図１３】この発明の実態の形態３における動態管理システムの表示装置の表示例である。
【図１４】この発明の実態の形態３における動態管理システムの動作を説明するためのフローチャートである。
【図１５】この発明の実態の形態３における動態管理システムの動作を説明するためのフローチャートである。
【図１６】この発明の実態の形態４における動態管理システムの構成図である。
【図１７】この発明の実態の形態４における動態管理システムの設備とアンテナとの配置を示す平面図である。
【図１８】この発明の実態の形態４における動態管理システムの動作を説明するためのフローチャートである。
【図１９】この発明の実態の形態４における動態管理システムの動作を説明するためのフローチャートである。
【図２０】この発明の実態の形態５における動態管理システムの構成図である。
【図２１】この発明の実態の形態５における動態管理システムのアンテナとの配置を示す平面図である。
【図２２】この発明の実態の形態５における動態管理システムの動作を説明するためのフローチャートである。
【図２３】この発明の実態の形態５における動態管理システムの動作を説明するためのフローチャートである。
【図２４】この発明の実態の形態６における動態管理システムの構成図である。
【図２５】この発明の実態の形態６における動態管理システムのディスプレイの表示例である。
【図２６】この発明の実態の形態６における動態管理システムの制御装置の動作を説明するためのフローチャートである。
【発明を実施するための形態】
【０００９】
この発明を実施するための形態について添付の図面に従って説明する。なお、各図中、同一又は相当する部分には同一の符号が付される。当該部分の重複説明は適宜に簡略化または省略する。
【００１０】
実施の形態１．
図１はこの発明の実態の形態１における動態管理システムの構成図である。
【００１１】
図１において、タグ１は、利用者に所持される。タグ１は、入力部１ａと入力判定部１ｂとモード切替部１ｃと指令生成部１ｄと送信部１ｅとを備える。
【００１２】
例えば、入力部１ａは、押しボタンである。入力判定部１ｂは、入力部１ａにより入力された内容を判定する機能を備える。モード切替部１ｃは、入力判定部１ｂにより判定された内容に基づいて制御のモードを設備２の制御と割付の制御と表示の制御とのうちのいずれかのモードに切り替える機能を備える。指令生成部１ｄは、モード切替部１ｃにより切り替えられたモードに対応した指令を作成する機能を備える。送信部１ｅは、ＩＤ情報と指令作成部により作成された指令の情報とを含む電波を送信する機能を備える。
【００１３】
複数の設備２は、動態管理領域に設けられる。例えば、複数の設備２は、複数の照明である。
【００１４】
複数のアンテナ３は、動態管理領域に設けられる。複数のアンテナ３の各々は、電波の放射により通信可能となる在圏範囲Ａを形成する機能を備える。複数のアンテナ３の各々は、タグ１が送信した電波を受信する機能を備える。複数のアンテナ３の各々には、それぞれ一意に識別可能な番号が割り当てられる。例えば、アンテナ３には、アンテナ番号が割り当てられる。アンテナ３は、読取部３ａを備える。
【００１５】
読取部３ａは、タグ１が送信した電波からＩＤ情報と指令の情報とを読み取る機能を備える。
【００１６】
複数の表示装置４は、動態管理領域に設けられる。複数の表示装置４は、複数のアンテナ３に対応して設けられる。複数の表示装置４の各々は、予め設定された方法で情報を報知する報知装置として設けられる。表示装置４は、表示部４ａを備える。表示部４ａは、数字を点滅表示したり点灯表示したりすることで情報を報知する機能を備える。
【００１７】
制御装置５は、データベース５ａと認証部５ｂと設備制御部５ｃと割付制御部５ｄと表示制御部５ｅとを備える。
【００１８】
データベース５ａは、テーブルＢを備える。テーブルＢは、タグ１に割り付けられたアンテナ３の情報を記憶する機能を備える。認証部５ｂは、アンテナ３の読取部３ａにより読み取られたＩＤ情報と予め記憶したＩＤ情報との比較結果に基づいて認証を行う機能を備える。設備制御部５ｃは、認証部５ｂにより認証された際に設備２を制御する指令を実行する機能を備える。割付制御部５ｄは、認証部５ｂにより認証された際にデータベース５ａに対してタグ１の割り付けを制御する指令を実行する機能を備える。表示制御部５ｅは、認証部５ｂにより認証された際に表示装置４の読取部３ａの表示を制御する指令を実行する機能を備える。
【００１９】
タグ１に対するアンテナ３の割り付けは、データベース５ａのテーブルＢのタグ１に対応するＩＤ情報の行にある「割付アンテナ１」から「割付アンテナ１０」の列に、アンテナ番号を設定することにより行われる。
【００２０】
例えば、タグ１に対して９個のアンテナ３が割り付けられている場合は、「割付アンテナ１」から「割付アンテナ９」の列にすでにアンテナ番号が設定されている。この状態で、タグ１に対して新しくアンテナ３が割り付けられる場合、アンテナ番号が未設定である「割付アンテナ１０」に、新しくアンテナ番号が設定される。
【００２１】
例えば、タグ１に対して１０個のアンテナ３が割り付けられている場合は「割付アンテナ１」から「割付アンテナ１０」の列にすでにアンテナ番号が設定されている。この状態で、タグ１に対して新しくアンテナ３が割り付けられる場合、最も古く割り付けられたアンテナ３のアンテナ番号に対して新しいアンテナ３のアンテナ番号が上書きされる。
【００２２】
例えば、タグ１に対するアンテナ３の割り付けの解除は、データベース５ａのテーブルＢのタグ１に対応するＩＤ情報の行にある「割付アンテナ１」から「割付アンテナ１０」の列から対応するアンテナ番号を削除することにより行われる。
【００２３】
タグ１が在圏範囲Ａにあるアンテナ３に割り付けられている際、対応した表示装置４の表示部４ａの表示は、当該アンテナ３のアンテナ番号を点灯させることにより行われる。タグ１が在圏範囲Ａにあるアンテナ３に割り付けられていない際、対応した表示装置４の表示部４ａの表示は、当該アンテナ３のアンテナ番号を点滅させることにより行われる。
【００２４】
次に、図２と図３とを用いて、表示装置４の表示部４ａの表示例とタグ１の割付例とを説明する。
図２はこの発明の実態の形態１における動態管理システムのアンテナの配置を示す平面図である。図３はこの発明の実態の形態１における動態管理システムの表示装置の表示例である。
【００２５】
図２において、タグ１は、「アンテナ番号１」のアンテナ３に割り付けられている。タグ１は、「アンテナ番号２」のアンテナ３に割り付けられていない。タグ１は、「アンテナ番号３」のアンテナ３に割り付けられている。タグ１は、「アンテナ番号１」のアンテナ３の在圏範囲Ａに進入している。
【００２６】
この際、タグ１から割付表示指令が送信されると、「アンテナ番号１」のアンテナ３に対応した表示装置４において、当該タグ１に割り付けられたアンテナ３のアンテナ番号が表示される。このとき、タグ１の入力部１ａ（図２においては図示せず）が操作されると、アンテナ番号の表示が切り替わる。
【００２７】
表示される数字が「１」または「３」である場合、表示装置４の表示部４ａは、「１」また「３」を点灯表示する。表示される数字が「２」の場合、表示装置４の表示部４ａは、「２」を点滅表示する。
【００２８】
例えば、表示装置４の表示部４ａが「１」を表示している状態でタグ１の割付制御が行われると、タグ１と「アンテナ番号１」のアンテナ３との割り付けが解除される。表示装置４の表示部４ａが「２」を表示している状態でタグ１の割付制御が行われると、タグ１と「アンテナ番号２」のアンテナ３との割り付けが設定される。表示装置４の表示部４ａが「３」を表示している状態でタグ１の割付制御が行われると、タグ１と「アンテナ番号３」のアンテナ３との割り付けが解除される。
【００２９】
次に、図４と図５とを用いて、動態管理システムの動作を説明する。
図４と図５とはこの発明の実態の形態１における動態管理システムの動作を説明するためのフローチャートである。
【００３０】
ステップＳ１では、タグ１の入力判定部１ｂは、入力部１ａにおける操作があったか否かを判定する。ステップＳ１で入力部１ａにおける操作がない場合は、ステップＳ１が繰り返される。ステップＳ１で入力部１ａにおける操作があった場合は、ステップＳ２に進む。
【００３１】
ステップＳ２では、入力判定部１ｂは、入力部１ａにおける操作がモード切替操作か否かを判定する。
【００３２】
ステップＳ２で入力部１ａにおける操作がモード切替操作でない場合は、ステップＳ３に進む。ステップＳ３では、指令生成部１ｄは、入力部１ａにおける操作に応じた設備２の制御指令を作成する。その後、ステップＳ４に進む。ステップＳ４では、送信部１ｅは、ＩＤ情報と指令の情報とをアンテナ３の読取部３ａへ送信する。その後、ステップＳ５に進む。
【００３３】
ステップＳ５では、アンテナ３の読取部３ａは、ＩＤ情報と指令の情報とを読み取る。その後、ステップＳ６に進む。
【００３４】
ステップＳ６では、制御装置５の認証部５ｂは、アンテナ３の読取部３ａにより読み取られたＩＤ情報と予め記憶したＩＤ情報との比較結果に基づいて認証が成功したか否かを判定する。
【００３５】
ステップＳ６で認証が成功した場合は、ステップＳ７に進む。ステップＳ７では、設備制御部５ｃは、指令の情報に対応した設備２の制御を実施する。その後、処理が終了する。
【００３６】
ステップＳ６で認証が失敗した場合は、ステップＳ７を経由せずに、処理が終了する。
【００３７】
ステップＳ２で入力部１ａにおける操作がモード切替操作である場合は、ステップＳ８に進む。ステップＳ８では、入力判定部１ｂは、入力部１ａにおける操作が割付制御モードへ切り替える操作であるか否かを判定する。
【００３８】
ステップＳ８で入力部１ａにおける操作が割付制御モードへ切り替える操作である場合は、モード切替部１ｃは、モードを割付制御モードへ切り替える。その後、ステップＳ９に進む。ステップＳ９では、指令生成部１ｄは、入力部１ａにおける操作に対応した割付制御指令を作成する。その後、ステップＳ１０に進む。ステップＳ１０では、送信部１ｅは、ＩＤ情報と指令の情報とをアンテナ３の読取部３ａへ送信する。その後、ステップＳ１１に進む。
【００３９】
ステップＳ１１では、アンテナ３の読取部３ａは、ＩＤ情報と指令の情報とを読み取る。その後、ステップＳ１２に進む。
【００４０】
ステップＳ１２では、制御装置５の認証部５ｂは、読取部３ａにより読み取られたＩＤ情報と予め記憶したＩＤ情報との比較結果に基づいて認証が成功したか否かを判定する。
【００４１】
ステップＳ１２で認証が成功した場合は、ステップＳ１３に進む。ステップＳ１３では、設備制御部５ｃは、指令の情報に対応した割付制御を実施する。その後、処理が終了する。
【００４２】
ステップＳ１２で認証が失敗した場合は、ステップＳ１３を経由せずに、処理が終了する。
【００４３】
ステップＳ８で入力部１ａにおける操作が割付制御モードへ切り替える操作でない場合は、モード切替部１ｃは、モードを表示制御モードへ切り替える。その後、ステップＳ１４に進む。ステップＳ１４では、指令生成部１ｄは、入力部１ａにおける操作に対応した割付表示指令を作成する。その後、ステップＳ１５に進む。
【００４４】
ステップＳ１５では、送信部１ｅは、ＩＤ情報と指令の情報とをアンテナ３の読取部３ａへ送信する。その後、ステップＳ１６に進む。
【００４５】
ステップＳ１６では、アンテナ３の読取部３ａは、ＩＤ情報と指令の情報とを読み取る。その後、ステップＳ１７に進む。
【００４６】
ステップＳ１７では、制御装置５の認証部５ｂは、読取部３ａにより読み取られたＩＤ情報と予め記憶したＩＤ情報との比較結果に基づいて認証が成功したか否かを判定する。
【００４７】
ステップＳ１７で認証が成功した場合は、ステップＳ１８に進む。ステップＳ１７で認証が失敗した場合は、ステップＳ１８に進まずに、処理が終了する。
【００４８】
ステップＳ１８では、制御装置５は、タグ１が在圏範囲Ａにあるアンテナ３のアンテナ番号がタグ１にすでに割り付け済みであるか否かを判定する。
【００４９】
ステップＳ１８でタグ１が在圏範囲Ａにあるアンテナ３のアンテナ番号がタグ１にすでに割り付け済みである場合は、ステップＳ１９に進む。ステップＳ１９では、表示制御部５ｅは、アンテナ３の在圏範囲Ａにある表示装置４の表示部４ａに当該アンテナ番号を点灯表示させる。その後、ステップＳ２０に進む。
【００５０】
ステップＳ２０では、タグ１の入力判定部１ｂは、入力部１ａにおける操作があったか否かを判定する。ステップＳ２０で入力部１ａにおける操作がない場合は、ステップＳ１９に戻る。ステップＳ２０で入力部１ａにおける操作があった場合は、ステップＳ２１に進む。
【００５１】
ステップＳ２１では、入力判定部１ｂは、タグ１の入力部１ａにおける操作がタグ１の割付制御に対応した操作であるか否かを判定する。
【００５２】
ステップＳ２１で入力部１ａにおける操作がタグ１の割付制御に対応した操作である場合は、ステップＳ２２に進む。
【００５３】
ステップＳ２２では、制御装置５の割付制御部５ｄは、表示装置４の表示部４ａに表示されているアンテナ番号のアンテナ３とタグ１との割り付けを削除する制御を行う。その後、ステップＳ１８に戻る。
【００５４】
ステップＳ２１で入力部１ａにおける操作がタグ１の割付制御に対応した操作でない場合は、ステップＳ２３に進む。ステップＳ２３では、入力判定部１ｂは、タグ１の入力部１ａにおける操作が表示切替操作に対応した操作であるか否かを判定する。
【００５５】
ステップＳ２３で入力部１ａにおける操作が表示切替操作に対応した操作でない場合は、処理が終了する。
【００５６】
ステップＳ２３で入力部１ａにおける操作が表示切替操作に対応した操作である場合は、ステップＳ２４に進む。ステップＳ２４では、指令作成部は、表示切替指令を作成する。その後、ステップＳ２５に進む。
【００５７】
ステップＳ２５では、送信部１ｅは、ＩＤ情報と指令の情報とをアンテナ３の読取部３ａへ送信する。その後、ステップＳ２６に進む。
【００５８】
ステップＳ２６では、アンテナ３の読取部３ａは、ＩＤ情報と指令の情報とを読み取る。その後、ステップＳ２７に進む。
【００５９】
ステップＳ２７では、制御装置５の表示制御部５ｅは、表示装置４の表示部４ａに表示中のアンテナ番号を「１」だけ増加させる。その後、ステップＳ１８に戻る。
【００６０】
ステップＳ１８でタグ１が在圏範囲Ａにあるアンテナ３のアンテナ番号がタグ１に割り付けられていない場合は、ステップＳ２８に進む。ステップＳ２８では、表示制御部５ｅは、アンテナ３の在圏範囲Ａにある表示装置４の表示部４ａにアンテナ番号を点滅表示させる。その後、ステップＳ２９に進む。
【００６１】
ステップＳ２９では、タグ１の入力判定部１ｂは、入力部１ａにおける操作があったか否かを判定する。ステップＳ２９で入力部１ａにおける操作がない場合は、ステップＳ２８に戻る。ステップＳ２９で入力部１ａにおける操作があった場合は、ステップＳ３０に進む。
【００６２】
ステップＳ３０では、入力判定部１ｂは、入力部１ａにおける操作がタグ１の割付制御に対応した操作であるか否かを判定する。
【００６３】
ステップＳ３０で入力部１ａにおける操作がタグ１の割付制御に対応した操作である場合は、ステップＳ３１に進む。
【００６４】
ステップＳ３１では、制御装置５の割付制御部５ｄは、表示装置４の表示部４ａに表示されているアンテナ番号のアンテナ３をタグ１に割り付ける制御を行う。その後、ステップＳ１８に戻る。
【００６５】
ステップＳ３０で入力部１ａにおける操作がタグ１の割付制御でない場合は、ステップＳ２３以降の処理が行われる。
【００６６】
以上で説明した実施の形態１によれば、表示装置４の表示部４ａは、報知装置として、タグ１に割り付けられたアンテナ３の情報を表示する。このため、タグ１の所持者に当該タグ１に割り付けられたアンテナ３の情報を報知することができる。その結果、不要な設備２の動作によるエネルギーの無駄を削減することができる。タグ１に割り付けられたアンテナ３を探索する際の時間を短縮することができる。タグ１に割り付けられたアンテナ３を探索する際にアンテナ３ごとに個別に確認する手間を削減することができる。タグ１の所持者の要求によりタグ１の割り付けを確認または変更する際にシステム管理者の手間を削減することができる。
【００６７】
また、表示装置４の表示部４ａは、タグ１に割り付けられたアンテナ３のアンテナ番号とタグ１に割り付けられていないアンテナ３のアンテナ番号とを異なる方法で表示する。このため、タグ１に割り付けられたアンテナ３の情報をより確実に報知することができる。この際、タグ１に割り付けられたアンテナ３のアンテナ番号とタグ１に割り付けられていないアンテナ３のアンテナ番号とを色を変えた表示で区別してもよい。タグ１に割り付けられたアンテナ３のアンテナ番号とタグ１に割り付けられていないアンテナ３のアンテナ番号とを反転する表示と反転しない表示とで区別してもよい。
【００６８】
また、制御装置５は、タグ１の入力部１ａにおける操作に応じて当該タグ１とアンテナ３の割り付けの検索と追加と削除とを実行する。このため、タグ１とアンテナ３との割り付けを容易に編集することができる。
【００６９】
なお、タグ１の所持者がどのアンテナ３にタグ１が割り付けられているかを認識できるのであれば、アンテナ３の在圏範囲Ａの外側に表示装置４を配置してもよい。
【００７０】
また、タグ１とアンテナ３と制御装置５とのうちのいずれかと表示装置４とを一体化してもよい。
【００７１】
また、アンテナ３に対して複数の表示装置４を対応付けてもよい。
【００７２】
また、ディスプレイとモニタ液晶画面と７セグＬＥＤ等を表示装置４としてもよい。
【００７３】
また、照明以外の設備２を制御対象としてもよい。例えば、空調機を制御対象としてもよい。
【００７４】
また、１０個のアンテナ３がすでに割り付けられている場合、割付失敗としてもよい。この場合、割り付けが失敗したことを表示装置４によりタグ１の所持者に報知してもよい。
【００７５】
また、データベース５ａのテーブルＢに割付可能なアンテナ３の数を１０件より多くしてもよい。データベース５ａのテーブルＢに割付可能なアンテナ３の数を１０件より少なくしてもよい。
【００７６】
また、タグ１の入力部１ａのボタンの数と操作方法とは、限定されない。それぞれのボタンに対して、回数連続操作、長押し操作、回数連続操作と長押し操作とを組み合わせた操作等、各操作が区別できればよい。
【００７７】
次に、図６を用いて、制御装置５の例を説明する。
図６はこの発明の実施の形態１における動態管理システムの制御装置のハードウェア構成図である。
【００７８】
制御装置５の各機能は、処理回路により実現し得る。例えば、処理回路は、少なくとも１つのプロセッサ６ａと少なくとも１つのメモリ６ｂとを備える。例えば、処理回路は、少なくとも１つの専用のハードウェア７を備える。
【００７９】
処理回路が少なくとも１つのプロセッサ６ａと少なくとも１つのメモリ６ｂとを備える場合、制御装置５の各機能は、ソフトウェア、ファームウェア、又はソフトウェアとファームウェアとの組み合わせにより実現される。ソフトウェアおよびファームウェアの少なくとも一方は、プログラムとして記述される。ソフトウェアおよびファームウェアの少なくとも一方は、少なくとも１つのメモリ６ｂに格納される。少なくとも１つのプロセッサ６ａは、少なくとも１つのメモリ６ｂに記憶されたプログラムを読み出して実行することにより、制御装置５の各機能を実現する。少なくとも１つのプロセッサ６ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ６ｂは、ＲＡＭ、ＲＯＭ、フラッシュメモリ、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等である。
【００８０】
処理回路が少なくとも１つの専用のハードウェア７を備える場合、処理回路は、例えば、単一回路、複合回路、プログラム化したプロセッサ、並列プログラム化したプロセッサ、ＡＳＩＣ、ＦＰＧＡ、又はこれらを組み合わせたものである。例えば、入退室管理機器６の各機能は、それぞれ処理回路で実現される。例えば、入退室管理機器６の各機能は、まとめて処理回路で実現される。
【００８１】
制御装置５の各機能について、一部を専用のハードウェア７で実現し、他部をソフトウェア又はファームウェアで実現してもよい。例えば、表示制御部５ｅの機能については専用のハードウェア７としての処理回路で実現し、表示制御部５ｅ以外の機能については少なくとも１つのプロセッサ６ａが少なくとも１つのメモリ６ｂに格納されたプログラムを読み出して実行することによって実現してもよい。
【００８２】
このように、処理回路は、ハードウェア７、ソフトウェア、ファームウェア、又はこれらの組み合わせによって、制御装置５の各機能を実現する。
【００８３】
実施の形態２．
図７はこの発明の実態の形態２における動態管理システムの構成図である。なお、実施の形態１と同一又は相当部分には、同一符号が付される。当該部分の説明は省略される。
【００８４】
実施の形態２の表示装置４において、表示部４ａは、９個のＬＥＤ８を備える。表示部４ａは、対応したアンテナ３の位置を中央としてタグ１が割り付けられているアンテナ３の相対位置に対応した位置のＬＥＤ８を点灯させる。表示部４ａは、対応したアンテナ３の位置を中央としてタグ１が割り付けられていないアンテナ３の相対位置に対応した位置のＬＥＤ８を点灯させない。
【００８５】
次に、図８と図９とを用いて、表示装置４の表示部４ａの表示例を説明する。
図８はこの発明の実態の形態２における動態管理システムのアンテナの配置を示す平面図である。図９はこの発明の実態の形態２における動態管理システムの表示装置の表示例である。
【００８６】
図８において、タグ１は、第１アンテナ９ａに割り付けられている。タグ１は、第２アンテナ９ｂに割り付けられていない。タグ１は、第３アンテナ９ｃに割り付けられていない。タグ１は、第４アンテナ９ｄに割り付けられていない。タグ１は、第５アンテナ９ｅに割り付けられている。タグ１は、第６アンテナ９ｆに割り付けられている。タグ１は、第１アンテナ９ａの在圏範囲Ａに進入している。
【００８７】
この際、第１アンテナ９ａに対応した表示装置４の表示部４ａは、第１アンテナ９ａを中央としたアンテナ３の相対位置を表示する。この際、第１アンテナ９ａに対応した表示装置４の表示部４ａは、タグ１が割り付けられているアンテナ３の相対位置のＬＥＤ８を点灯させる。第１アンテナ９ａに対応した表示装置４の表示部４ａは、タグ１が割り付けられていないアンテナ３の相対位置のＬＥＤ８を点灯させない。
【００８８】
具体的には、第１アンテナ９ａに対応した表示装置４の表示部４ａは、図９の左上側に示された表示を行う。このとき、タグ１の操作により第１アンテナ９ａの割り付けが解除されると、第１アンテナ９ａに対応した表示装置４の表示部４ａは、図９の右上側に示された表示を行う。
【００８９】
タグ１のモードが表示制御モードに維持された状態でタグ１が第５アンテナ９ｅの在圏範囲Ａに移動した場合、第５アンテナ９ｅに対応した表示装置４の表示部４ａは、図９の左下側に示された表示を行う。アンテナ３の割り付けが変更されずにタグ１が第６アンテナ９ｆの在圏範囲Ａに移動した場合、第６アンテナ９ｆに対応した表示装置４の表示部４ａは、図９の右下側に示された表示を行う。
【００９０】
次に、図１０と図１１とを用いて、動態管理システムの動作を説明する。
図１０と図１１とはこの発明の実態の形態２における動態管理システムの動作を説明するためのフローチャートである。
【００９１】
図１０のステップＳ１からステップＳ１７は、図４のステップＳ１からステップＳ１７と同じである。実施の形態２においては、ステップＳ１の前に、ステップＳ０が行われる。ステップＳ０では、モード切替部１ｃは、タグ１のモードが割付表示モードであるか否かを判定する。
【００９２】
ステップＳ０でタグ１のモードが割付表示モードでない場合は、ステップＳ１に進む。ステップＳ０でタグ１のモードが割付表示モードである場合は、ステップＳ１４に進む。
【００９３】
ステップＳ１７で認証が成功した場合は、ステップＳ４１に進む。ステップＳ１７で認証が失敗した場合は、ステップＳ４１に進まずに、処理が終了する。
【００９４】
ステップＳ４１では、制御装置５は、タグ１が在圏範囲Ａにあるアンテナ３に隣接するアンテナ３の全てを処理の対象として指定する。その後、ステップＳ４２に進む。ステップＳ４２では、制御装置５は、指定されたアンテナ３がタグ１に割り付け済みであるか否かを判定する。
【００９５】
ステップＳ４２で指定されたアンテナ３がタグ１に割り付けられている場合は、ステップＳ４３に進む。ステップＳ４３では、表示制御部５ｅは、表示装置４の表示部４ａにおいて当該アンテナ３の相対位置に対応したＬＥＤ８を点灯させる。その後、ステップＳ４４に進む。
【００９６】
ステップＳ４２で指定されたアンテナ３がタグ１に割り付けられていない場合は、ステップＳ４３を経由せずに、ステップＳ４４に進む。
【００９７】
ステップＳ４４では、制御装置５は、タグ１が在圏範囲Ａにあるアンテナ３がタグ１に割り付け済みであるか否かを判定する。
【００９８】
ステップＳ４４でタグ１が在圏範囲Ａにあるアンテナ３がタグ１に割り付けられている場合は、ステップＳ４５に進む。ステップＳ４５では、表示制御部５ｅは、表示装置４の表示部４ａにおいて中央のＬＥＤ８を点灯させる。その後、ステップＳ４６に進む。
【００９９】
ステップＳ４４でタグ１が在圏範囲Ａにあるアンテナ３がタグ１に割り付けられていない場合は、ステップＳ４５を経由せずにステップＳ４６に進む。
【０１００】
ステップＳ４６では、タグ１の入力判定部１ｂは、入力部１ａにおける操作があったか否かを判定する。ステップＳ４６で入力部１ａにおける操作がない場合は、ステップＳ４６が繰り返される。ステップＳ４６で入力部１ａにおける操作があった場合は、ステップＳ４７に進む。
【０１０１】
ステップＳ４７では、入力判定部１ｂは、入力部１ａにおける操作がタグ１の割付制御に対応した操作であるか否かを判定する。
【０１０２】
ステップＳ４７で入力部１ａにおける操作がタグ１割付制御に対応した操作でない場合は、処理が終了する。
【０１０３】
ステップＳ４７でタグ１の入力部１ａの操作がタグ１割付制御に対応した操作である場合は、ステップＳ４８に進む。
【０１０４】
ステップＳ４８では、制御装置５は、タグ１が在圏範囲Ａにあるアンテナ３が割り付けられているか否かを判定する。
【０１０５】
ステップＳ４８でタグ１が在圏範囲Ａにあるアンテナ３が割り付けられている場合は、ステップＳ４９に進む。ステップＳ４９では、割付制御部５ｄは、アンテナ３とタグ１との割り付けを削除する制御を行う。その後、処理が終了する。
【０１０６】
ステップＳ４８でタグ１が在圏範囲Ａにあるアンテナ３が割り付けられていない場合は、ステップＳ５０に進む。ステップＳ５０では、割付制御部５ｄは、アンテナ３とタグ１とを割り付ける制御を行う。その後、処理が終了する。
【０１０７】
以上で説明した実施の形態２によれば、表示装置４の表示部４ａは、タグ１に割り付けられたアンテナ３とタグ１に割り付けられていないアンテナ３との相対位置を表示する。このため、より簡易な構成でタグ１に割り付けられたアンテナ３の情報を報知することができる。
【０１０８】
なお、相対位置が分かるのであれば、矢印または文字での表示でもよい。
【０１０９】
また、タグ１に割り付けられたアンテナ３のアンテナ番号とタグ１に割り付けられていないアンテナ３のアンテナ番号とをＬＥＤ８の点灯と点滅とで区別してもよい。タグ１に割り付けられたアンテナ３のアンテナ番号とタグ１に割り付けられていないアンテナ３のアンテナ番号とをＬＥＤ８の点灯速度で区別してもよい。
【０１１０】
実施の形態３．
図１２はこの発明の実態の形態３における動態管理システムのアンテナの配置を示す平面図である。図１３はこの発明の実態の形態３における動態管理システムの表示装置の表示例である。なお、実施の形態２と同一又は相当部分には、同一符号が付される。当該部分の説明は省略される。
【０１１１】
実施の形態２の表示装置４において、表示部４ａは、対応したアンテナ３の位置を中央としてタグ１が割り付けられているアンテナ３の相対位置に対応した位置のＬＥＤ８を点灯させる。これに対し、実施の形態３の表示装置４において、表示部４ａは、タグ１が割り付けられているアンテナ３の絶対位置に対応した位置のＬＥＤ８を点灯させる。
【０１１２】
図１２において、タグ１は、第１アンテナ９ａに割り付けられている。タグ１は、第２アンテナ９ｂに割り付けられていない。タグ１は、第３アンテナ９ｃに割り付けられていない。タグ１は、第４アンテナ９ｄに割り付けられていない。タグ１は、第５アンテナ９ｅに割り付けられている。タグ１は、第６アンテナ９ｆに割り付けられている。タグ１は、第１アンテナ９ａの在圏範囲Ａに進入している。
【０１１３】
この際、全ての表示装置４の表示部４ａは、第１アンテナ９ａと第５アンテナ９ｅと第６アンテナ９ｆに対応した絶対位置のＬＥＤ８を点灯させる。具体的には、全ての表示装置４の表示部４ａは、図１３の左側に示された表示を行う。このとき、タグ１の操作により第１アンテナ９ａの割り付けが解除されると、全ての表示装置４の表示部４ａは、図１３の右側に示された表示を行う。
【０１１４】
次に、図１４と図１５とを用いて、動態管理システムの動作を説明する。
図１４と図１５とはこの発明の実態の形態３における動態管理システムの動作を説明するためのフローチャートである。
【０１１５】
図１４のステップＳ０からステップＳ１７は、図１０のステップＳ０からステップＳ１７と同じである。
【０１１６】
ステップＳ１７で認証が成功した場合は、ステップＳ５１に進む。ステップＳ１７で認証が失敗した場合は、ステップＳ５１に進まずに、処理が終了する。
【０１１７】
ステップＳ５１では、制御装置５は、全てのアンテナ３を処理の対象として指定する。その後、ステップＳ５２に進む。ステップＳ５２では、制御装置５は、アンテナ３がタグ１に割り付けられているか否かを判定する。
【０１１８】
ステップＳ５２でアンテナ３がタグ１に割り付けられている場合は、ステップＳ５３に進む。ステップＳ５３では、表示制御部５ｅは、表示装置４の表示部４ａにおいてアンテナ３の絶対位置に対応したＬＥＤ８を点灯させる。その後、ステップＳ５４に進む。
【０１１９】
ステップＳ５２でアンテナ３がタグ１に割り付けられていない場合は、ステップＳ５３を経由せずに、ステップＳ５４に進む。
【０１２０】
ステップＳ５４からステップＳ５８は、図１１のステップＳ４６からステップＳ５０と同じである。
【０１２１】
以上で説明した実施の形態３によれば、表示装置４の表示部４ａは、タグ１に割り付けられたアンテナ３と当該タグ１に割り付けられていないアンテナ３との絶対位置を表示する。このため、タグ１の所持者に当該タグ１に割り付けられたアンテナ３の情報を相対位置の表示よりも容易に認識させることができる。また、タグ１に割り付けられているアンテナ３の数を報知することができる。さらに、遠く離れたアンテナ３の割付状況も報知することができる。
【０１２２】
なお、絶対的な位置が分かるのであれば、部屋の間取りを表示してもよい。
【０１２３】
また、タグ１に割り付けられたアンテナ３のアンテナ番号とタグ１に割り付けられていないアンテナ３のアンテナ番号とをＬＥＤ８の点灯と点滅とで区別してもよい。タグ１に割り付けられたアンテナ３のアンテナ番号とタグ１に割り付けられていないアンテナ３のアンテナ番号とをＬＥＤ８の点灯速度で区別してもよい。
【０１２４】
実施の形態４．
図１６はこの発明の実態の形態４における動態管理システムの構成図である。なお、実施の形態１と同一又は相当部分には、同一符号が付される。当該部分の説明は省略される。
【０１２５】
実施の形態１から実施の形態３において、アンテナ３とタグ１との割り付けは、表示装置４の表示部４ａの表示により報知される。これに対し、実施の形態４において、アンテナ３とタグ１との割り付けは、設備２の制御により報知される。
【０１２６】
次に、図１７を用いて、アンテナ３とタグ１との割り付けの報知例を説明する。
図１７はこの発明の実態の形態４における動態管理システムの設備２とアンテナ３との配置を示す平面図である。
【０１２７】
図１７において、第１照明２ａは、第１アンテナ９ａの在圏範囲Ａに配置される。第２照明２ｂは、第１アンテナ９ａの在圏範囲Ａと第２アンテナ９ｂの在圏範囲Ａとの重複部に配置される。第３照明２ｃは、第２アンテナ９ｂの在圏範囲Ａと第３アンテナ９ｃの在圏範囲Ａとの重複部に配置される。第４照明２ｄは、第３アンテナ９ｃの在圏範囲Ａに配置される。
【０１２８】
第５照明２ｅは、第４アンテナ９ｄの在圏範囲Ａに配置される。第６照明２ｆは、第４アンテナ９ｄの在圏範囲Ａと第５アンテナ９ｅの在圏範囲Ａとの重複部に配置される。第７照明２ｇは、第５アンテナ９ｅの在圏範囲Ａと第６アンテナ９ｆの在圏範囲Ａとの重複部に配置される。第８照明２ｈは、第６アンテナ９ｆの在圏範囲Ａに配置される。
【０１２９】
タグ１は、第１アンテナ９ａに割り付けられている。タグ１は、第２アンテナ９ｂに割り付けられていない。タグ１は、第３アンテナ９ｃに割り付けられていない。タグ１は、第４アンテナ９ｄに割り付けられていない。タグ１は、第５アンテナ９ｅに割り付けられている。タグ１は、第６アンテナ９ｆに割り付けられている。タグ１は、第１アンテナ９ａの在圏範囲Ａに進入している。
【０１３０】
この際、制御装置５の設備制御部５ｃは、タグ１に割り付けられている第１アンテナ９ａと第５アンテナ９ｅと第６アンテナ９ｆとの在圏範囲Ａにある照明を０．５秒ごとに２回点灯させる。具体的には、制御装置５の設備制御部５ｃは、第１照明２ａと第２照明２ｂと第６照明２ｆと第７照明２ｇと第８照明２ｈとを０．５秒ごとに２回点灯させる。
【０１３１】
次に、図１８と図１９とを用いて、動態管理システムの動作を説明する。
図１８と図１９とはこの発明の実態の形態４における動態管理システムの動作を説明するためのフローチャートである。
【０１３２】
図１８のステップＳ１からステップＳ１７は、図４のステップＳ１からステップＳ１７と同じである。
【０１３３】
ステップＳ１７で認証が成功した場合は、ステップＳ６１に進む。ステップＳ１７で認証が失敗した場合は、ステップＳ６１に進まずに、処理が終了する。
【０１３４】
ステップＳ６１では、制御装置５は、全てのアンテナ３を処理の対象として指定する。その後、ステップＳ６２に進む。ステップＳ６２では、制御装置５は、アンテナ３がタグ１に割り付けられているか否かを判定する。
【０１３５】
ステップＳ６２でアンテナ３がタグ１に割り付けられている場合は、ステップＳ６３に進む。ステップＳ６３では、制御装置５は、当該アンテナ３を制御の対象に追加する。その後、ステップＳ６４に進む。
【０１３６】
ステップＳ６２で当該アンテナ３がタグ１に割り付けられていない場合は、ステップＳ６３を経由せずに、ステップＳ６４に進む。
【０１３７】
ステップＳ６４では、制御装置５は、以降の処理を２回繰り返すことを把握する。その後、ステップＳ６５に進む。ステップＳ６５では、設備制御部５ｃは、制御対象のアンテナ３に対応した照明を制御する。その後、ステップＳ６６に進む。
【０１３８】
ステップＳ６６では、設備制御部５ｃは、０．５秒経過したか否かを判定する。
【０１３９】
ステップＳ６６で０．５秒経過していない場合は、ステップＳ６５に戻る。ステップＳ６６で０．５秒経過した場合は、ステップＳ６７に進む。
【０１４０】
ステップＳ６７では、設備制御部５ｃは、制御対象のアンテナ３に対応した照明を制御する。その後、ステップＳ６８に進む。
【０１４１】
ステップＳ６８では、設備制御部５ｃは、０．５秒経過したか否かを判定する。
【０１４２】
ステップＳ６８で０．５秒経過していない場合は、ステップＳ６７に戻る。ステップＳ６８で０．５秒経過した場合は、ステップＳ６４に戻る。
【０１４３】
ステップＳ６５からステップＳ６８の処理が２回繰り返された場合は、処理が終了する。
【０１４４】
以上で説明した実施の形態４によれば、制御装置５の設備制御部５ｃは、アンテナ３に対応した設備２を制御する。このため、表示装置４を新たに用意することなく、タグ１の所持者に当該タグ１に割り付けられたアンテナ３の情報を報知することができる。
【０１４５】
なお、設備２のＯＮとＯＦＦとの回数を１回としてもよい。設備２のＯＮとＯＦＦとの回数を３回以上でも構わない。
【０１４６】
また、制御対象の設備２は、タグ１の所有者から見える設備２であればよい。例えば、照明または空調機等の機器に備え付けられているＬＥＤ等でもよい。
【０１４７】
実施の形態５．
図２０はこの発明の実態の形態５における動態管理システムの構成図である。なお、実施の形態１と同一又は相当部分には、同一符号が付される。当該部分の説明は省略される。
【０１４８】
実施の形態１から実施の形態３において、アンテナ３とタグ１との割り付けは、表示装置４の表示部４ａの表示により報知される。これに対し、実施の形態５において、アンテナ３とタグ１との割り付けは、スピーカー１０からの音声により報知される。
【０１４９】
複数のスピーカー１０の各々は、複数のアンテナ３に対応して設けられる。
【０１５０】
制御装置５は、音声制御部５ｆを備える。音声制御部は、認証部５ｂにより認証された際に当該アンテナ３に対応したスピーカー１０に当該タグ１に割り付けられているアンテナ３のアンテナ番号を音声で報知する。
【０１５１】
次に、図２１を用いて、アンテナ３とタグ１との割り付けの報知例を説明する。
図２１はこの発明の実態の形態５における動態管理システムのアンテナの配置を示す平面図である。
【０１５２】
図２１において、タグ１は、「アンテナ番号１」の第１アンテナ９ａに割り付けられている。タグ１は、「アンテナ番号２」の第２アンテナ９ｂに割り付けられていない。タグ１は、「アンテナ番号３」の第３アンテナ９ｃに割り付けられていない。タグ１は、「アンテナ番号４」の第４アンテナ９ｄに割り付けられていない。タグ１は、「アンテナ番号５」の第５アンテナ９ｅに割り付けられている。タグ１は、「アンテナ番号６」の第６アンテナ９ｆに割り付けられている。タグ１は、第１アンテナ９ａの在圏範囲Ａに進入している。
【０１５３】
この際、第１アンテナ９ａに対応したスピーカー１０は、「割り付けられているアンテナは、１番と５番と６番です。」といった内容を音声で報知する。
【０１５４】
次に、図２２と図２３とを用いて、動態管理システムの動作を説明する。
図２２と図２３とはこの発明の実態の形態５における動態管理システムの動作を説明するためのフローチャートである。
【０１５５】
図２２のステップＳ１からステップＳ１７は、図４のステップＳ１からステップＳ１７と同じである。
【０１５６】
ステップＳ１７で認証が成功した場合は、ステップＳ７１に進む。ステップＳ１７で認証が失敗した場合は、ステップＳ７１に進まずに、処理が終了する。
【０１５７】
ステップＳ７１では、制御装置５は、全てのアンテナ３を処理の対象として指定する。その後、ステップＳ７２に進む。ステップＳ７２では、制御装置５は、アンテナ３がタグ１に割り付けられているか否かを判定する。
【０１５８】
ステップＳ７２でアンテナ３がタグ１に割り付けられている場合は、ステップＳ７３に進む。ステップＳ７３では、制御装置５は、当該アンテナ３を制御の対象に追加する。その後、ステップＳ７４に進む。
【０１５９】
ステップＳ７４では、音声制御部５ｆは、制御対象に追加されたアンテナ３を報知するための音声の情報を作成する。その後、ステップＳ７５に進む。ステップＳ７５では、音声制御部５ｆは、当該タグ１が在圏範囲Ａにあるアンテナ３に対応したスピーカー１０に当該情報を音声で報知させる。その後、処理が終了する。
【０１６０】
以上で説明した実施の形態５によれば、スピーカー１０は、タグ１に割り付けられたアンテナ３の情報を音声で報知する。このため、表示装置４による報知と同様に、タグ１の所持者に当該タグ１に割り付けられたアンテナ３の情報を報知することができる。
【０１６１】
なお、アンテナ３の在圏範囲Ａの外側にスピーカー１０を配置してもよい。
【０１６２】
また、アンテナ３に対して複数のスピーカー１０を対応付けてもよい。
【０１６３】
なお、タグ１に割り付けられたアンテナ３の方向または方角を音声で報知してもよい。
【０１６４】
実施の形態６．
図２４はこの発明の実態の形態６における動態管理システムの構成図である。なお、実施の形態１と同一又は相当部分には、同一符号が付される。当該部分の説明は省略される。
【０１６５】
実施の形態６の制御装置５は、表示装置４とキーボード１１と一体化される。表示装置４は、ディスプレイ４ｂを備える。キーボード１１は、入力操作を受け付け得るように設けられる。
【０１６６】
タグ１の所持者は、キーボード１１を用いてユーザＩＤとパスワードとを入力する。制御装置５の認証部５ｂは、ユーザＩＤとパスワードとに基づいて認証処理を行う。認証が成功すると、ディスプレイ４ｂは、ユーザＩＤに対応したタグ１とアンテナ３との割付情報を表示する。
【０１６７】
次に、図２５を用いて、ディスプレイ４ｂの表示例を説明する。
図２５はこの発明の実態の形態６における動態管理システムのディスプレイの表示例である。
【０１６８】
ディスプレイ４ｂは、ユーザＩＤとパスワードとの入力画面を表示する。具体的には、ディスプレイ４ｂは、図２５の右上側に示された表示を行う。
【０１６９】
タグ１の所持者は、キーボード１１を用いてユーザＩＤとパスワードとを入力した後、「認証」ボタンを操作する。認証が成功すると、ディスプレイ４ｂは、右下側に示された表示を行う。
【０１７０】
タグ１の所持者は、当該表示に基づいてタグ１とアンテナ３との割付情報を確認する。「追加」ボタンが操作されると、タグ１とアンテナ３との割付追加処理が開始される。「削除」ボタンが操作されると、タグ１とアンテナ３との割付削除処理が開始される。「ログアウト」ボタンが操作されると、ディスプレイ４ｂは、右上側に示された表示を再び行う。
【０１７１】
次に、図２６を用いて、制御装置５の動作を説明する。
図２６はこの発明の実態の形態６における動態管理システムの制御装置の動作を説明するためのフローチャートである。
【０１７２】
ステップＳ８１では、制御装置５の認証部５ｂは、ユーザＩＤとパスワードとの入力を把握する。その後、ステップＳ８２に進む。ステップＳ８２では、認証部５ｂは、認証が成功したか否かを判定する。
【０１７３】
ステップＳ８２で認証が失敗した場合は、処理が終了する。
【０１７４】
ステップＳ８２で認証が成功した場合は、ステップＳ８３に進む。ステップＳ８３では、認証部５ｂは、ログアウトの操作がなされたか否かを判定する。
【０１７５】
ステップＳ８３でログアウトの操作がなされた場合は、処理が終了する。
【０１７６】
ステップＳ８３でログアウトの操作がなされていない場合は、ステップＳ８４に進む。ステップＳ８４では、表示制御部５ｅは、ユーザＩＤに対応したタグ１とアンテナ３との割付情報をディスプレイ４ｂに表示させる制御を行う。その後、ステップＳ８５に進む。
【０１７７】
ステップＳ８５では、認証部５ｂは、キーボード１１からの操作内容が割付追加操作である否かを判定する。
【０１７８】
ステップＳ８５でキーボード１１からの操作内容が割付追加操作である場合は、ステップＳ８６に進む。ステップＳ８６では、割付制御部５ｄは、割付追加操作に対応した割り付けを追加する制御を行う。その後、ステップＳ８３に戻る。
【０１７９】
ステップＳ８５でキーボード１１からの操作内容が割付追加操作でない場合は、ステップＳ８７に進む。ステップＳ８７では、割付制御部５ｄは、当該操作に対応した割り付けを削除する制御を行う。その後、ステップＳ８３に戻る。
【０１８０】
以上で説明した実施の形態６によれば、制御装置５は、キーボード１１の操作に応じてタグ１とアンテナ３との割り付けの検索と追加と削除とを実行する。このため、タグ１とアンテナ３との割り付けをより確実に編集することができる。
【０１８１】
なお、タグ１の所持者がデータベース５ａの内容を確認できるのであれば、表示装置４の配置は、限定されない。
【０１８２】
また、ログイン時のユーザＩＤとパスワードとを他のタグ１の所持者と共用しても共用しなくてもよい。
【０１８３】
また、入力装置として、キーボード１１の代わりにタッチパネルを用いてもよい。
【０１８４】
また、認証は、タグ１を用いた認証でもよい。認証は、指紋認証でもよい。
【０１８５】
また、タグ１とアンテナ３との割付情報として、フロアの平面図を表示してもよい。
【０１８６】
また、ディスプレイ４ｂとキーボード１１とを用いて、タグ１の所持者による設備２の制御を可能としてもよい。
【産業上の利用可能性】
【０１８７】
以上のように、動態管理システムは、タグの所持者に当該タグに割り付けられたアンテナの情報を報知するシステムに利用できる。
【符号の説明】
【０１８８】
１  タグ、  １ａ  入力部、  １ｂ  入力判定部、  １ｃ  モード切替部、  １ｄ  指令生成部、  １ｅ  送信部、  ２  設備、  ２ａ  第１照明、  ２ｂ  第２照明、  ２ｃ  第３照明、  ２ｄ  第４照明、  ２ｅ  第５照明、  ２ｆ  第６照明、  ２ｇ  第７照明、  ２ｈ  第８照明、  ３  アンテナ、  ３ａ  読取部、  ４  表示装置、  ４ａ  表示部、  ４ｂ  ディスプレイ、  ５  制御装置、  ５ａ  データベース、  ５ｂ  認証部、  ５ｃ  設備制御部、  ５ｄ  割付制御部、  ５ｅ  表示制御部、  ５ｆ  音声制御部、  ６ａ  プロセッサ、  ６ｂ  メモリ、  ７  ハードウェア、  ８  ＬＥＤ、  ９ａ  第１アンテナ、  ９ｂ  第２アンテナ、  ９ｃ  第３アンテナ、  ９ｄ  第４アンテナ、  ９ｅ  第５アンテナ、  ９ｆ  第６アンテナ、  １０  スピーカー、  １１  キーボード
【図１】
2017158825.tif 000003
【図２】
2017158825.tif 000004
【図３】
2017158825.tif 000005
【図４】
2017158825.tif 000006
【図５】
2017158825.tif 000007
【図６】
2017158825.tif 000008
【図７】
2017158825.tif 000009
【図８】
2017158825.tif 000010
【図９】
2017158825.tif 000011
【図１０】
2017158825.tif 000012
【図１１】
2017158825.tif 000013
【図１２】
2017158825.tif 000014
【図１３】
2017158825.tif 000015
【図１４】
2017158825.tif 000016
【図１５】
2017158825.tif 000017
【図１６】
2017158825.tif 000018
【図１７】
2017158825.tif 000019
【図１８】
2017158825.tif 000020
【図１９】
2017158825.tif 000021
【図２０】
2017158825.tif 000022
【図２１】
2017158825.tif 000023
【図２２】
2017158825.tif 000024
【図２３】
2017158825.tif 000025
【図２４】
2017158825.tif 000026
【図２５】
2017158825.tif 000027
【図２６】
2017158825.tif 000028
【国際調査報告】
2017158825.tif 000029
2017158825.tif 000030
2017158825.tif 000031
2017158825.tif 000032